(57)【要約】【課題】めまいや不安感を緩和、解消することができるフットライトシステムを提供する。【解決手段】廊下１等の床面２と壁面３の境界部において壁面３側に横向き開放の凹所４が設けられ、該凹所４内に、ＬＥＤ等の光源６と、揺らぎ素子としての膜材７とが備えられ、駆動源としての２４時間換気用の給気口１０から吹き出す空気１１によって動かされる膜材７によって揺らがされた光源６の光が凹所４内から出て床面２を照らすようになされている。【選択図】      図１
2007141515.tif 000002
【特許請求の範囲】
【請求項１】
床面と壁面の境界部において壁面側に横向き開放の凹所が設けられ、
該凹所内に、光源と、光源からの光を揺らがせる動きをする揺らぎ素子とが備えられ、
駆動源によって動かされる揺らぎ素子によって揺らがされた光源の光が凹所内から出て床面を照らすようになされていることを特徴とするフットライトシステム。
【請求項２】
前記凹所内に２４時間換気用の給気口及び／又は排気口が設けられ、該給気口及び／又は排気口を通過する空気を駆動源として揺らぎ素子が動かされるようになされている請求項１に記載のフットライトシステム。
【請求項３】
前記揺らぎ素子が、光源からの光を反射して床面を照らす反射面を備えた膜材からなり、該膜材に切込みが入れられ、該膜材が給気口から吹き出す空気で動かされて光源からの光を揺らがせるようになされている請求項２に記載のフットライトシステム。
【請求項４】
光源と、光源からの光を揺らがせる動きをする揺らぎ素子とが備えられ、駆動源によって動かされる揺らぎ素子によって揺らがされた光源の光が床面を照らすようになされていることを特徴とするフットライトシステム。
【発明の詳細な説明】
【技術分野】
【０００１】
本発明は、フットライトシステムに関する。
【背景技術】
【０００２】
暗がりの中を安全に歩行することができるようにするため、廊下に床面を照らすフットライドを設置することは、従来より行われている。
【発明の開示】
【発明が解決しようとする課題】
【０００３】
しかしながら、従来のフットライトでは、暗い中で足元のみを局所的に照らすものであり、目視できる視界が足元に限られることなどから、時として、ヒトに軽いめまいを起こさせたり、ヒトを不安な気分にさせることがある。
【０００４】
本発明は、上記のような問題点に鑑み、めまいや不安感を緩和、解消することができるフットライトシステムを提供することを課題とする。
【課題を解決するための手段】
【０００５】
上記の課題において、発明者らは、調査と研究を重ねた結果、暗い中で足元のみを局所的に照らすライトの光が静的なものである場合に、そのようなめまいや不安感が起こりやすく、そこで、ライトの光に変化を与えてみたところ、その変化で、めまいや不安感が緩和される事実を突き止めた。
【０００６】
本発明は、このような解明に基づいてなされたものであって、上記の課題は、床面と壁面の境界部において壁面側に横向き開放の凹所が設けられ、
該凹所内に、光源と、光源からの光を揺らがせる動きをする揺らぎ素子とが備えられ、
駆動源によって動かされる揺らぎ素子によって揺らがされた光源の光が凹所内から出て床面を照らすようになされていることを特徴とするフットライトシステムによって解決される。
【０００７】
このフットライトシステムでは、揺らぎ素子によって揺らがされた光源の光が床面を照らすようになされているので、光の揺らぎによって、めまいや不安感を緩和、解消することができる。光源からの光を、癒し効果を発揮することのできる態様で揺らがせる場合には、不安な気分が払拭されて、心を癒してリフレッシュさせることができる。
【０００８】
しかも、光源や揺らぎ素子が凹所内に備えられているので、間接照明作用によって効果をより高いものにすることができ、また、床面と壁面の境界をスッキリとしたものにすることができる。
【０００９】
上記のフットライトシステムにおいて、前記凹所内に２４時間換気用の給気口及び／又は排気口が設けられ、該給気口及び／又は排気口を通過する空気を駆動源として揺らぎ素子が動かされるようになされているとよい。
【００１０】
この場合は、２４時間換気で動く空気を、揺らぎ素子を動かす駆動源としているので、フットライトシステムに専用の駆動源が不要であり、ランニングコストを低く抑えることができる。しかも、２４時間換気用の給気口及び／又は排気口を凹所内に隠すことができて、すっきりとした納まりにすることができる。
【００１１】
また、揺らぎ素子が、光源からの光を反射して床面を照らす反射面を備えた膜材からなり、該膜材に切込みが入れられ、該膜材が給気口から吹き出す空気で動かされて光源からの光を揺らがせるようになされているとよい。
【００１２】
この場合は、揺らぎ素子が、切込みの入れられた膜材からなることにより、２４時間換気による給気口からの空気の動き、及び／又は、排気口への空気の動きによって、揺らぎ素子をうまい具合に動かすことができて、光源の光をうまい具合に揺らがせることができる。しかも、揺らぎ素子が乾式のものであることにより、施工やメンテナンスを容易にすることができる。
【００１３】
また、上記の課題は、光源と、光源からの光を揺らがせる動きをする揺らぎ素子とが備えられ、駆動源によって動かされる揺らぎ素子によって揺らがされた光源の光が床面を照らすようになされていることを特徴とするフットライトシステムによっても解決され、このフットライトシステムによって、めまいや不安感を緩和、解消することができる。即ち、床面と壁面の境界部において壁面側に横向き開放の凹所が設けられていることは必須要件ではないし、光源や揺らぎ素子がそのような凹所内に備えられていることも必須要件ではない。
【発明の効果】
【００１４】
本発明のフットライトシステムは、以上のとおりのものであるから、めまいや不安感を緩和、解消することができる。
【発明を実施するための最良の形態】
【００１５】
次に、本発明の実施最良形態を図面に基づいて説明する。
【００１６】
図１に示す実施形態のフットライトシステムは、廊下１に用いた場合のもので、図１（イ）に示すように、廊下１の床面２と壁面３との境界部において、壁面３側には、廊下１の延びる方向に延ばされた横向き開放の凹所４が設けられている。
【００１７】
そして、該凹所４内の開放部側に設けられた垂れ壁部５の背面部にＬＥＤ等からなる光源６が設けられる共に、該光源６よりも奥方に位置するようにして、揺らぎ素子として膜材７が、凹所４内の天面部８と奥面部９とにわたすように斜め下方に向けられて設置されている。
【００１８】
該膜材７は、斜め下方を向く面部７ａを反射面とするシート状あるいはフィルム状のものからなっていて、図１（ロ）に示すように、風圧を受けて動かされやすくするための切込み７ｂ…が設けられている。
【００１９】
そして、凹所４内において、その底面部には、２４時間換気用の給気口１０が設けられ、該給気口１０から吹き出す空気１１を駆動源として膜材７が動かされるようになされている。
【００２０】
上記のフットライトシステムでは、２４時間換気システムを駆動している状態で、光源６を点灯させると、光源６の光は、膜材７の反射面７ａで反射されて、廊下１の床面側を照らすが、２４時間換気システムの駆動で給気口１０から吹き出す空気１１が膜材７を揺れ動かし、それによって、光源６からの光が揺らがされ、廊下１の床面２は、その揺らがされた光によって照らされることになる。従って、暗い中、廊下１の床面２が上記のような揺らぐ光で照らされることにより、歩行者は、めまいや不安感を感じることなく歩行することができる。
【００２１】
しかも、光源６や膜材７、給気口１０は凹所４内に備えられているので、間接照明作用によって上記の効果をより高いものにすることができると共に、廊下１の床面２と壁面３の境界をスッキリとしたものにすることができる。
【００２２】
また、２４時間換気で給気口１０から吹き出す空気１１を駆動源して光源６の光を揺らがせるようにしているので、フットライトシステムに専用の駆動源が不要であり、ランニングコストを低く抑えることができる。
【００２３】
更に、切込み７ｂ…の入れられた膜材７を揺らぎ素子としていることにより、２４時間換気による給気口１０からの空気１１の動きで、膜材７を揺らぎ素子としてうまい具合に動かすことができ、また、膜材７による乾式の揺らぎ素子を採用しているこで、施工やメンテナンスを容易にすることができる。
【００２４】
以上に、本発明の実施形態を示したが、本発明はこれに限られるものではなく、発明思想を逸脱しない範囲で各種の変更が可能である。例えば、上記の実施形態では、揺らぎ素子として膜材を用い、駆動源として２４時間換気システムの給気口から吹き出す空気を用いた場合を示したが、凹所内に２４時間換気システムの排気口を設け、該排気口に吸い込まれる空気を駆動源にしてもよいし、同排気口と給気口とを廊下の延びる方向に並設し、それらによる空気の動きで膜材を動かすようにしてもよいし、上記のような給気口や排気口に限らず、凹所内等にファンを設置し、該ファンによって動かされる空気を駆動源として膜材を動かすようにしてもよい。
【００２５】
また、揺らぎ素子も膜材に限らず、例えば、凹所内に設置した水槽内の水を揺らぎ素子とし、該水を種々の駆動源で動かして光源の光を揺らがせるようにしてもよいし、また、駆動源を熱とし、熱による空気の対流によって種々の揺らぎ素子を動かすようにしたものであってもよいし、更に、駆動源をモーターとし、揺らぎ素子をモーターで動かすことによって光源の光を揺らがせるようになされたものであってもよいし、種々のものが採用されてよい。
【００２６】
更に、上記の実施形態では、フットライトシステムを廊下に用いた場合を示したが、廊下に限らす、屋外の土間床などであってもよいし、要は、ヒトが暗がりの中を歩行しなければならないような部分に広く用いることができるものである。
【図面の簡単な説明】
【００２７】
【図１】図（イ）は実施形態のフットライトシステムを示す断面側面図、図（ロ）は揺らぎ素子としての膜材の正面図である。
【符号の説明】
【００２８】
２…床面
３…壁面
４…凹所
６…光源
７…膜材（揺らぎ素子）
７ａ…反射面
７ｂ…切込み
１０…２４時間換気用の給気口
１１…空気（駆動源）
【図１】
2007141515.tif 000003